(57)【特許請求の範囲】
【請求項１】
ユーザによって少なくとも周波数を登録されたユーザ登録局を示すユーザ登録局表示エリアと、予め放送地域と周波数とを対応付けして記憶されたプリセット局を示すプリセット局表示エリアと、を表示する表示部と、
現在地の位置情報を取得する現在位置取得部と、
前記現在位置取得部により取得された位置情報に基づいて前記プリセット局表示エリアに表示させるプリセット局を切り替える制御部と、
を備え、
前記制御部は、前記現在位置取得部により取得された位置情報に基づいて前記ユーザ登録局表示エリアに表示させるユーザ登録局を切り替えるとともに、前記ユーザ登録局表示エリアに表示させるユーザ登録局を、前記プリセット局表示エリアに表示させるプリセット局よりも大きなトリガで切り替えることを特徴とする受信機。
【請求項２】
前記表示部は、
前記ユーザ登録局表示エリア及び前記プリセット局表示エリアの大きさを変更するためのアイコンを有することを特徴とする請求項１に記載の受信機。
【発明の詳細な説明】
【技術分野】
【０００１】
本発明は、放送局からの各種放送を受信可能な受信機に関する。
【背景技術】
【０００２】
従来、放送局からの各種放送を受信可能な受信機（例えばラジオ受信機）において、受信可能な放送局を表示部にリスト表示する技術が知られている（例えば、特許文献１）。
【０００３】
図１４は、従来技術に係る受信機の表示部４４に表示されるリスト表示画面の一例について示した図である。
図１４に示すように、表示部４４に表示されるリスト表示画面は、受信状態表示エリア４４１と、操作エリア４４２と、放送局表示エリア４４３と、で構成される。
【０００４】
受信状態表示エリア４４１は、現在選局されている放送局の名称又は周波数、及びその放送局の放送の受信状態（ＴＵＮＥＤ／ＳＴＥＲＥＯ）、を表示するエリアである。
受信状態は、現在選局されている放送局の放送を受信している受信状態と、当該放送を受信していない未受信状態と、に区別される。従来技術に係る受信機においては、受信電波の強度が一定値以上である場合に受信状態であると判断し、一定値未満である場合に未受信状態であると判断する。従来技術に係る受信機は、受信状態であると判断した場合に、「ＴＵＮＥＤ」を点灯させる。すなわち、「ＴＵＮＥＤ」が点灯している場合、現在選局されている放送局の放送を受信することができる。
また、放送局の中には、ステレオ放送を行っている放送局が存在する。放送局がステレオ放送を行う場合、放送電波にはステレオ信号が含まれている。従来技術に係る受信機は、ステレオ信号を含んだ放送電波を受信した場合、「ＳＴＥＲＥＯ」を点灯させる。すなわち、「ＳＴＥＲＥＯ」が点灯している場合、現在受信している放送はステレオ放送である。
図１４では、現在選局されている放送局として「ＦＭの放送局Ａ」が表示されている。また、受信状態として「ＴＵＮＥＤ」は点灯されているが、「ＳＴＥＲＥＯ」は点灯されていない。従って、図１４に例示した受信機の場合、現在選局している放送局ＡのＦＭ放送（ステレオ放送ではない）を受信していることを表している。
【０００５】
操作エリア４４２は、ＢＡＮＤ切替ボタン４４２ａ、前の周波数ボタン４４２ｂ、次の周波数ボタン４４２ｃ、を表示するエリアである。
ＢＡＮＤ切替ボタン４４２ａは、選局対象の放送をＦＭ放送にするかＡＭ放送にするか切り替えるためのボタンである。
前の周波数ボタン４４２ｂは、現在選局されている放送局の周波数の一つ手前の周波数で放送を行っている放送局を選局するためのボタンである。
次の周波数ボタン４４２ｃは、現在選局されている放送局の周波数の一つ後ろの周波数で放送を行っている放送局を選局するためのボタンである。
【０００６】
放送局表示エリア４４３は、当該受信機を生産したメーカが予め機器に登録しておいた放送地域ごとの放送局（プリセット局）又はユーザが登録した放送局の周波数（ユーザ登録局）を、ユーザにより選択された地域（エリア）ごとに一覧表示するエリアである。
図１４では、世田谷エリアで受信可能なプリセット局の一覧が表示されている。図１４に例示した受信機の場合、世田谷エリアでは、放送局Ａ、放送局Ｂ、放送局Ｃ、放送局Ｄ、放送局Ｅ、放送局Ｆ、放送局Ｈの放送を受信することができる。ここで、放送局Ａ、放送局Ｂ、放送局Ｃ、放送局Ｄは「自エリア」にある放送局であり、放送局Ｅ、放送局Ｆ、放送局Ｈは「隣接エリア」にある放送局である。自エリアは、現在地が含まれるエリアのことである。隣接エリアは、自エリアに隣接するエリアのことである。例えば現在地が世田谷区内である場合、自エリアは世田谷区となり、隣接エリアは東京都の杉並区、渋谷区、目黒区、大田区、三鷹市、調布市、狛江市、神奈川県川崎市の多摩区、高津区、中原区、となる。受信機は、隣接エリアの電波を受信する可能性があるため、自エリアの他、隣接エリアを考慮する必要がある。従って、受信機は、世田谷エリアにおいては、放送局Ａ、放送局Ｂ、放送局Ｃ、放送局Ｄ、放送局Ｅ、放送局Ｆ、放送局Ｈを放送局表示エリア４４３に一覧表示することとなる。
ユーザは、放送局表示エリア４４３に一覧表示された放送局の中から所望の放送局を選択することで、その放送局の放送を受信することができる。
【０００７】
上記した受信機が携帯可能な端末（モバイル情報端末）であった場合、放送を受信する場所によって受信可能な放送局が変わるため、プリセット局の表示を変更する必要がある。そこで、ＧＰＳ（Global Positioning System）などで取得した現在地の位置情報に基づいてリスト表示するプリセット局を切り替える技術が存在する（例えば、特許文献２）。この技術は、エリア（市区単位）ごとに受信可能な放送局の情報（放送局の名称や周波数など）を記憶したデータベース（プリセット局データベース）を利用することで実現している。
【０００８】
なお、ラジオ受信機能とＧＰＳ機能とを組み合わせて上記技術を実現している商品として、カーナビゲーションシステムや携帯電話が挙げられる。
【先行技術文献】
【特許文献】
【０００９】
【特許文献１】特公平１−１３７６９号公報
【特許文献２】特開２００９−１１１６０２号公報
【発明の概要】
【発明が解決しようとする課題】
【００１０】
上記したように、プリセット局は、現在地によって表示対象が切り替わる可能性があるが、ユーザ登録局は、基本的に周波数のみが登録されるものであり、どのエリアで放送を受信可能であるか特定できないため、現在地の位置情報だけでは表示対象を切り替えることができない。
【００１１】
そこで、現在のモバイル情報端末は、以下のようなリスト表示およびリスト管理を行っている。
第１の方法は、プリセット局を自動的に切り替える機能を持つが、その機能を使用している時はユーザ登録局を表示しない方法である。
第２の方法は、プリセット局を自動的に切り替える機能を持たず、常にユーザが手動でリスト表示を切り替える方法である。
第３の方法は、プリセット局を自動的に切り替える機能を持つが、ユーザ登録局は持たない方法である。
第４の方法は、プリセット局を持たず、ユーザ登録局のみを持つ方法である。
【００１２】
しかしながら、上記したリスト表示及び管理方法では、それぞれ以下のような問題が発生する。
【００１３】
例えば第１の方法の場合、プリセット局とユーザ登録局とを排他的に表示するようにしているため、プリセット局を表示している時にユーザ登録局は表示されず、一方でユーザ登録局を表示している時にプリセット局は表示されない。そのため、ユーザは、自分が聴きたい放送局がプリセット局であるかユーザ登録局であるかを自ら判断して、プリセット局を表示するかユーザ登録局を表示するかを選択しなければならなかった。
【００１４】
運転をしながらでも簡単に操作できることを前提としたカーナビゲーションシステムでは、大きな文字やボタンで画面が構成されているため、多くの情報を表現することができない。そのため、プリセット局とユーザ登録局を同時に表示することは困難である。従って、カーナビゲーションシステムでは、極力操作の手間を省くことができる上記第１の方法を採用していることが多い。
【００１５】
また、例えば第２の方法の場合、ユーザがプリセット局を表示するかユーザ登録局を表示するか手動で切り替えるため、表示される内容はすべてユーザの意志によるものである。従って、表示される内容がどのようなものであっても、ユーザが混乱することは少なく、仮にプリセット局とユーザ登録局を同時に表示したとしても、特に不都合はないように思われる。しかしながら、リスト表示の切り替えをすべてユーザが手動で行わなければならず、手間がかかるという問題があった。
【００１６】
携帯電話は画面が小さいため、カーナビゲーションシステム同様、多くの情報を表現することができない。また、携帯電話は、消費電力を抑えるために、ＧＰＳ等での現在位置の取得を頻繁には行っていないが、カーナビゲーションシステムとは異なり、ユーザが立ち止まって操作することが可能であるため、上記第２の方法を採用していることが多い。
【００１７】
また、例えば第３の方法の場合、プリセットされていない放送局の放送を受信可能な状態であったとしても、その放送局をリスト表示することができず、放送の受信を選択することができなかった。
また、例えば第４の方法の場合、常に同じユーザ登録局が表示されることとなり、それらの放送局の放送が受信できなくなったときは、再度ユーザが受信可能な放送局を探さなければならなかった。
【００１８】
本発明は、使いやすいユーザインターフェイスを備えた受信機を提供することを目的とする。
【課題を解決するための手段】
【００１９】
請求項１に記載の発明は、上記目的を達成するためになされたものであり、受信機において、ユーザによって少なくとも周波数を登録されたユーザ登録局を示すユーザ登録局表示エリアと、予め放送地域と周波数とを対応付けして記憶されたプリセット局を示すプリセット局表示エリアと、を表示する表示部と、現在地の位置情報を取得する現在位置取得部と、前記現在位置取得部により取得された位置情報に基づいて前記プリセット局表示エリアに表示させるプリセット局を切り替える制御部と、を備え、前記制御部は、前記現在位置取得部により取得された位置情報に基づいて前記ユーザ登録局表示エリアに表示させるユーザ登録局を切り替えるとともに、前記ユーザ登録局表示エリアに表示させるユーザ登録局を、前記プリセット局表示エリアに表示させるプリセット局よりも大きなトリガで切り替えることを特徴とする。
【００２１】
請求項２に記載の発明は、請求項１に記載の受信機において、前記表示部は、前記ユーザ登録局表示エリア及び前記プリセット局表示エリアの大きさを変更するためのアイコンを有することを特徴とする。
【発明の効果】
【００２３】
本発明によれば、使いやすいユーザインターフェイスを備えた受信機を提供することができる。
【図面の簡単な説明】
【００２４】
【図１】第１の実施形態に係るコンテンツ配信システム１００のシステム構成を示す説明図である。
【図２】第１の実施形態に係るモバイル情報端末２の機能的構成について示したブロック図である。
【図３】第１の実施形態に係るサーバ装置３の機能的構成について示したブロック図である。
【図４】第１の実施形態に係るモバイル情報端末２の表示部２４に表示されるリスト表示画面の一例について示した図である。
【図５】エリア可変アイコン２４３ｃを上限の位置まで動かしたときの様子について示した図である。
【図６】エリア可変アイコン２４３ｃを下限の位置まで動かしたときの様子について示した図である。
【図７】プリセット局データベースＡ１の一例について示した図である。
【図８】インターネット放送の接続先ＵＲＬを各プリセット局に対応付けたプリセット局データベースＢ１の一例について示した図である。
【図９】インターネット放送の有無を示すアイコンＩ１が表示された画面の一例について示した図である。
【図１０】選局を指示されたときの一連の処理の流れについて示した図である。
【図１１】インターネット放送への接続を高速化していることを示すアイコンＩ２が表示された画面の一例について示した図である。
【図１２】詳細情報表示アイコンＩ３が表示された画面の一例について示した図である。
【図１３】ユーザ登録局ごとに登録場所Ｉ４が表示された画面の一例について示した図である。
【図１４】従来技術に係る受信機の表示部４４に表示されるリスト表示画面の一例について示した図である。
【発明を実施するための形態】
【００２５】
以下、本発明の実施の形態を図面に基づいて説明する。なお、第１、第２の各実施形態では、本発明に係る受信機をモバイル情報端末に適用した場合について例示する。
【００２６】
図１は、第１の実施形態に係るコンテンツ配信システム１００のシステム構成を示す説明図である。
図１に示すように、コンテンツ配信システム１００は、放送局１、モバイル情報端末２、サーバ装置３、を含んで構成される。なお、図１では、１台のサーバ装置３のみ示しているが、サーバ装置３はコンテンツを提供する放送局１又はサービス提供事業者毎に設けられる。
【００２７】
放送局１は、ラジオ放送の放送局（親局）であり、放送信号を電波として放射する。
モバイル情報端末２は、放送局１から放射された電波を受信する。また、モバイル情報端末２はネットワークＮを介してサーバ装置３と接続されている。ネットワークＮは、インターネット、及びこれに接続された移動体通信網、無線ＬＡＮ（Local Area Network）、ＷｉＭＡＸ（Worldwide Interoperability for Microwave Access）等の無線通信網を含んでおり、サーバ装置３は、ネットワークＮを介してモバイル情報端末２からのコンテンツの取得要求を受信すると、要求されたコンテンツをモバイル情報端末２に送信する。
すなわち、放送局１は、サーバ装置３を介してモバイル情報端末２にコンテンツを提供可能となっている。そして、モバイル情報端末２は、提供されたコンテンツに再生処理を施し、このコンテンツに基づく音声をスピーカから出力する。
【００２８】
図２は、第１の実施形態に係るモバイル情報端末２の機能的構成について示したブロック図である。
図２に示すように、モバイル情報端末２は、ＣＰＵ（Central Processing Unit）２１と、ＲＡＭ（Random Access Memory）２２と、記憶部２３と、表示部２４と、操作部２５と、ＩＰ通信部２６と、アンテナ２７と、チューナ２８と、音声出力部２９と、現在位置取得部３０と、を備えて構成されている。
【００２９】
ＣＰＵ２１は、モバイル情報端末２の各部を制御する。ＣＰＵ２１は、記憶部２３に記憶されているシステムプログラム及びアプリケーションプログラムのうち、指定されたプログラムをＲＡＭ２２に展開し、この展開されたプログラムとの協働で、各種処理を実行する。
ＲＡＭ２２は、情報を一時的に記憶する揮発性のメモリであり、プログラム及びデータを格納するワークエリアを有する。
【００３０】
記憶部２３は、ＨＤＤ（Hard Disk Drive）等により構成され、各種情報を読み書き自在に記憶する。記憶部２３には、各種プログラム及び後述する図７に示すプリセット局データベースやユーザが登録したユーザ登録局の周波数などの各種データが記憶される。
【００３１】
表示部２４は、モバイル情報端末２に内蔵されたＬＣＤ等の表示部であり、ＣＰＵ２１から入力される表示情報に基づいて各種表示を行う。当該表示部２４上には、ユーザによる操作（例えば、手指やタッチペン等による押下）を検出する操作部２５としての機能を有したタッチパネルが載置されている。
操作部２５は、ユーザからの操作入力を受け付ける操作部である。操作部２５は、各種キー操作を受け付けるキー操作部を有し、受け付けられた操作情報をＣＰＵ２１に出力する。
【００３２】
ＩＰ通信部２６は、ＩＰ（Internet Protocol）通信によりインターネットに接続し、インターネット上の機器とデータをやりとりする。例えば、コンテンツの配信を受ける場合、ＣＰＵ２１により指定されたＵＲＬ（Uniform Resource Locator）を用いて、コンテンツを配信する放送局１又はサービス提供事業者の機器、例えばサーバ装置３に接続し、コンテンツを受信する。受信されたコンテンツは、ＣＰＵ２１により音声出力部２９に出力される。
また、ＩＰ通信部２６は、電波放送を受信したか否かを示す受信情報を、サーバ装置３に送信する。
【００３３】
コンテンツは、放送局１から提供される画像（静止画、動画）、音声、テキスト等のデータである。例えば、ラジオ放送時のスタジオ風景の映像とそのときの音声からなるコンテンツがサイマル放送として配信されたり、５．１ｃｈ等のマルチチャンネル再生が可能な音声のコンテンツが配信されたりする。他にも、ラジオ放送番組の内容を知らせる画像と音声等がコンテンツとして挙げられるが、これらに限定されない。
【００３４】
アンテナ２７は、ラジオ放送を受信するためのアンテナである。アンテナ２７により、ラジオ放送の放送局（親局）１又は中継局から放射された電波が受信され、受信電波の電気信号である受信信号としてモバイル情報端末２に出力される。
【００３５】
チューナ２８は、ＣＰＵ２１の指示により受信電波の周波数が設定される。チューナ２８は、アンテナ２７から入力されるラジオ放送の放送信号のうち、前記設定された周波数に対応する放送信号を復調する。復調により得られた音声信号はデジタル化され、ＣＰＵ２１により音声出力部２９又は記憶部２３に出力される。
【００３６】
音声出力部２９は、ＣＰＵ２１により入力されるラジオ放送やコンテンツの音声のデータをアナログの音声信号に変換して出力する。
【００３７】
現在位置取得部３０は、ＧＰＳモジュール、自律航法ユニット等を備えて構成されている。ＧＰＳモジュールは、図示しないＧＰＳアンテナ等を備えて構成される。このＧＰＳアンテナは、地球低軌道に打ち上げられた複数のＧＰＳ衛星から送信されるＧＰＳ信号を受信する。ＧＰＳアンテナは、少なくとも３個のＧＰＳ衛星から送信されるＧＰＳ信号を受信し、受信したＧＰＳ信号に基づいてモバイル情報端末２の絶対的な現在位置（緯度、経度）を検出して、ＣＰＵ２１に出力する。
【００３８】
全放送局のうち所定の放送局１は、自局の放送のアナログ電波を送信するとともに、インターネット回線上に有する自局のサーバ装置３、又はコンテンツの配信を委託したサービス提供事業者のサーバ装置３を介して、前記自局の放送の内容と同様の、若しくはその内容から付加価値のあるコンテンツ（静止画、動画、動画＋音声、音声等）のデータ（放送に関する内容のコンテンツデータ）を、インターネット上で配信しているものとする。ただし、放送に関連するコンテンツデータの配信先は、放送法上の問題から、当該放送を受信できる地域に存在する機器に限定される。また、このサーバ装置３は、アクセス（ＩＰ接続）のためのアドレス情報としてのＵＲＬ及びＩＰアドレスを有する。
【００３９】
モバイル情報端末２は、コンテンツデータを配信している放送局１の放送の受信及び音声出力中に、所定操作に応じて、ＩＰ通信部２６を介して、受信中の放送の放送局１又はサービス提供事業者のサーバ装置３にＩＰ接続し、このサーバ装置３からコンテンツデータを受信（ダウンロード）して出力（再生）する機能を有する。より具体的には、モバイル情報端末２において、ＣＰＵ２１により、サーバ装置３から受信されたコンテンツデータが音声信号に変換され、この音声信号が音声出力部２９より外部に出力される。
【００４０】
このように、モバイル情報端末２において、放送の音声出力から、コンテンツデータの再生への切り替えが可能である。逆に、モバイル情報端末２は、所定操作に応じて、コンテンツデータの再生から、このコンテンツデータに対応する放送局１の放送の音声出力に切り替える機能を有するものとする。すなわち、モバイル情報端末２は、放送と、これにリンクするコンテンツ（データ）と、を切り替えて出力可能である。
【００４１】
図３は、第１の実施形態に係るサーバ装置３の機能的構成について示したブロック図である。すなわち、サーバ装置３は、図３に示す機能ブロックからなる処理装置（例えば、コンピュータ端末）を備えている。
図３に示すように、サーバ装置３は、制御部３１、記憶部３２、ＩＰ通信部３３、を備えて構成される。
【００４２】
制御部３１は、ＣＰＵ３１１、ＲＯＭ（Read Only Memory）３１２、ＲＡＭ３１３を備える。
ＣＰＵ３１１は、サーバ装置３の各部を制御する。ＣＰＵ３１１は、ＲＯＭ３１２に記憶されているシステムプログラム及びアプリケーションプログラムのうち、指定されたプログラムをＲＡＭ３１３に展開し、この展開されたプログラムとの協働で、各種処理を実行する。
ＲＡＭ３１３は、情報を一時的に記憶する揮発性のメモリであり、プログラム及びデータを格納するワークエリアを有する。
ＲＯＭ３１２は、例えば、半導体メモリで構成され、処理プログラムやデータ等が予め記憶されている。
【００４３】
記憶部３２は、例えば、ハードディスクで構成され、モバイル情報端末２に提供するためのコンテンツを記憶する。このコンテンツは、放送局１の放送内容に関するコンテンツであり、放送局１から提供される画像（静止画、動画）、音声、テキスト等のデータである。例えば、ラジオ放送時のスタジオ風景の映像とそのときの音声からなるコンテンツがサイマル放送として配信されたり、５．１ｃｈ等のマルチチャンネル再生が可能な音声のコンテンツが配信されたりする。他にも、ラジオ放送番組の内容を知らせる画像と音声等がコンテンツとして挙げられるが、これらに限定されない。
【００４４】
ＩＰ通信部３３は、ネットワークＮを介してモバイル情報端末２にコンテンツを配信する。また、ＩＰ通信部３３は、モバイル情報端末２が電波放送を受信したか否かを示す受信情報を、当該モバイル情報端末２より受信する。
【００４５】
制御部３１は、受信した受信情報を参照して、モバイル情報端末２が放送信号を受信していた場合は、当該モバイル情報端末２に対して即座にコンテンツの配信を許可する。
【００４６】
図４は、第１の実施形態に係るモバイル情報端末２の表示部２４に表示されるリスト表示画面の一例について示した図である。
図４に示すように、表示部２４に表示されるリスト表示画面は、受信状態表示エリア２４１と、操作エリア２４２と、放送局表示エリア２４３と、で構成される。
【００４７】
受信状態表示エリア２４１は、現在選局されている放送局の名称又は周波数、及びその放送局の放送の受信状態（ＴＵＮＥＤ／ＳＴＥＲＥＯ）、を表示するエリアである。
図４では、現在選局されている放送局として「ＦＭの放送局Ａ」が表示されている。また、受信状態として「ＴＵＮＥＤ」は点灯されているが、「ＳＴＥＲＥＯ」は点灯されていない。従って、図４に例示したモバイル情報端末の場合、現在選局している放送局ＡのＦＭ放送（ステレオ放送ではない）を受信していることを表している。
【００４８】
操作エリア２４２は、ＢＡＮＤ切替ボタン２４２ａ、前の周波数ボタン２４２ｂ、次の周波数ボタン２４２ｃ、を表示するエリアである。
ＢＡＮＤ切替ボタン２４２ａは、選局対象の放送をＦＭ放送にするかＡＭ放送にするか切り替えるためのボタンである。
前の周波数ボタン２４２ｂは、現在選局されている放送局の周波数の一つ手前の周波数で放送を行っている放送局を選局するためのボタンである。
次の周波数ボタン２４２ｃは、現在選局されている放送局の周波数の一つ後ろの周波数で放送を行っている放送局を選局するためのボタンである。
【００４９】
放送局表示エリア２４３は、ユーザ登録局表示エリア２４３ａと、プリセット局表示エリア２４３ｂと、両エリアの表示範囲を調整するためのエリア可変アイコン２４３ｃと、で構成される。
ユーザ登録局表示エリア２４３ａは、ユーザが登録した放送局の周波数をユーザ登録局として一覧表示するエリアである。なお、ユーザ登録局をユーザが登録したときに周波数に加えて放送局名を登録した場合は、放送局名を一覧表示させるようにしてもよい。
プリセット局表示エリア２４３ｂは、後述する図７に示すようなプリセット局データベースに記憶したプリセット局を一覧表示するエリアである。
エリア可変アイコン２４３ｃは、ユーザ登録局表示エリア２４３ａ及びプリセット局表示エリア２４３ｂの表示範囲を調整するためのアイコンである。このエリア可変アイコン２４３ｃは、上下にドラッグ操作を行うことで、位置を上下させることができる。
【００５０】
図５は、エリア可変アイコン２４３ｃを上限の位置まで動かしたときの様子について示した図である。また、図６は、エリア可変アイコン２４３ｃを下限の位置まで動かしたときの様子について示した図である。
図５では、エリア可変アイコン２４３ｃは上限の位置まで移動され、放送局表示エリア２４３は、プリセット局表示エリア２４３ｂのみ表示可能となっている。
また、図６では、エリア可変アイコン２４３ｃは下限の位置まで移動され、放送局表示エリア２４３は、ユーザ登録局表示エリア２４３ａのみ表示可能となっている。
【００５１】
このように、表示部２４は、ユーザ登録局表示エリア２４３ａ及びプリセット局表示エリア２４３ｂの大きさを変更するためのエリア可変アイコン２４３ｃを有する。
これにより、ユーザは自らの都合に合わせて各エリアの表示範囲を調整することができるので、非常に使い勝手がよくなる。
【００５２】
また、第１の実施形態に係るモバイル情報端末２は、従来技術同様、現在位置取得部３０で検出された現在位置に基づいて、プリセット局表示エリア２４３ｂに表示するプリセット局を自動的に切り替える機能を有する。すなわち、図７に示すようなプリセット局データベースを利用することで、上記機能を実現する。
【００５３】
図７は、プリセット局データベースＡ１の一例について示した図である。なお、プリセット局データベースＡ１は、モバイル情報端末２に予め記憶されている。
図７に示すように、プリセット局データベースＡ１は、都道府県名Ａ１１、エリア名Ａ１２、放送局名Ａ１３、周波数Ａ１４、の各項目を有する。
【００５４】
都道府県名Ａ１１は、放送局（親局）又は中継局が所在する都道府県の名称である。
エリア名Ａ１２は、放送局（親局）又は中継局が所在する市又は区の名称である。
放送局名Ａ１３は、放送局（親局）又は中継局の名称である。
周波数Ａ１４は、放送局（親局）又は中継局が放送する電波の周波数である。
【００５５】
なお、上記機能を実現しようとした場合、同一都道府県内において複数の放送局の放送（周波数）がバッティングすることがある。従って、プリセット局表示の自動切替えを行う際は、都道府県単位よりも小さな範囲で切替えを行えることが望ましい。例えば、モバイル情報端末２は、現在位置取得部３０により検出された現在位置を含むエリアの放送局をプリセット局として表示する。例えば現在位置が東京都世田谷区であった場合は、放送局Ａ〜Ｈを表示する。
【００５６】
このように、第１の実施形態に係るモバイル情報端末２は、ユーザ登録局を示すユーザ登録局表示エリア２４３ａと、プリセット局を示すプリセット局表示エリア２４３ｂと、を表示する表示部２４と、現在地の位置情報を取得する現在位置取得部３０と、現在位置取得部３０により取得された位置情報に基づいてプリセット局表示エリア２４３ｂに表示させるプリセット局を切り替えるＣＰＵ２１と、を備える。
これにより、第１の実施形態に係るモバイル情報端末２は、使いやすいユーザインターフェイスを実現している。すなわち、表示部２４にプリセット局表示エリア２４３ｂのみを設けた構成の場合、エリア外への電波漏れにより放送電波を受信した場合やコミュニティＦＭ等の小さな放送局による放送に対応しきれないが、新たにユーザ登録局表示エリア２４３ａを設けたことで、上記した状況にも対応することができるようになる。
【００５７】
次に、第２の実施形態に係るモバイル情報端末２について説明する。なお、第２の実施形態に係るモバイル情報端末２は、第１の実施形態に係るモバイル情報端末２と同様の機能的構成を有する。
【００５８】
上記したように、第１の実施形態に係るモバイル情報端末２の場合、基本的にユーザ登録局として周波数しか登録されておらず、ユーザ登録局の放送をどのエリアまで受信可能であるか、すなわちユーザ登録局をどのエリアで表示すればよいかを判断できないため、ユーザ登録局の切り替えは不可能である。
【００５９】
一方、第２の実施形態に係るモバイル情報端末２は、ユーザ登録局表示エリア２４３ａに表示するユーザ登録局をユーザが登録する際、周波数と共に登録時の現在位置情報を登録することで、ユーザ登録局の切り替えを行うことが可能となる。このユーザ登録局の切り替えを行うことが可能である点において、第１の実施形態に係るモバイル情報端末２とは異なる。
【００６０】
さらに第２の実施形態に係るモバイル情報端末２は、ユーザ登録局の切り替えを行う際、プリセット局の切替えとは異なるトリガで自動的に切り替える機能を有する。例えばプリセット局を都道府県単位よりも小さな範囲で切り替える場合は、ユーザ登録局を都道府県単位又は地方単位（関東・関西など）といったより大きな範囲で切り替える。すなわち、モバイル情報端末２は登録された各ユーザ登録局がどの程度の電波出力を持っているかが分からないため、どのエリアまで放送を受信できるか判断することができないが、日本全国に電波を送信するような放送局は存在しないため、ユーザ登録局を都道府県単位や地方単位で自動的に切り替えを行ったとしても、特に不都合は生じない。また、例えばユーザ登録局を登録する際にＧＰＳ信号を受信できず、現在地情報を得られなかった場合などは、直前に取得していたＧＰＳ信号等に基づいて放送局と現在位置との対応付けを行うため不都合が生じるように思えるが、都道府県単位又は地方単位（関東・関西など）といった大きな範囲で切り替えを行う構成ならば、誤ったエリアに対応付けてユーザ登録局を登録する可能性が少なくなる。逆に、プリセット局を都道府県単位又は地方単位（関東・関西など）などの大きなトリガで切り替えてしまうと、複数の中継局も含めて表示されてしまうため、表示されるプリセット局の数が多くなりすぎるという不都合が生じる。従って、第２の実施形態ではユーザ登録局とプリセット局を異なるトリガに基づいて切り替える。
【００６１】
このように、第２の実施形態に係るモバイル情報端末２は、ユーザ登録局を示すユーザ登録局表示エリア２４３ａと、プリセット局を示すプリセット局表示エリア２４３ｂと、を表示する表示部２４と、現在地の位置情報を取得する現在位置取得部３０と、現在位置取得部３０により取得された位置情報に基づいてユーザ登録局表示エリア２４３ａに表示させるユーザ登録局及びプリセット局表示エリア２４３ｂに表示させるプリセット局を切り替えるＣＰＵ２１と、を備える。
これにより、ユーザは現在地で受信可能な放送局をユーザ登録局或いはプリセット局ごとに参照することができ、混乱することなく所望の放送局を選局することができる。
【００６２】
また、上記したように、モバイル情報端末２は、ユーザ登録局表示エリア２４３ａに表示させるユーザ登録局と、プリセット局表示エリア２４３ｂに表示させるプリセット局と、を異なるトリガにより切り替える。
これにより、ユーザは適切に表示される放送局の中から選局することができるので、非常に便利である。
【００６３】
モバイル情報端末２は、ユーザによりプリセット局又はユーザ登録局が選択されると、その放送局の周波数を受信する。また、選択された放送局がインターネット配信による放送であった場合は、インターネットに接続してその放送を受信する。
なお、選択された放送局が、電波放送とインターネット放送の両方を行っており、かつインターネット放送の接続承認を電波放送で行うことがある。その場合、モバイル情報端末２は、まず電波放送を受信し、その放送局の放送を受信できることを確認した後、その放送局の周波数及び端末の現在位置情報をサーバ装置３に通知し、サーバ装置３からインターネット放送を受信するための接続先ＵＲＬを受信し、インターネット放送への接続処理を行う。
【００６４】
以上、本発明に係る第１及び第２の実施形態に基づいて具体的に説明したが、本発明は上記実施形態に限定されるものではなく、その要旨を逸脱しない範囲で変更可能である。
【００６５】
例えば、第１及び第２の実施形態に係るモバイル情報端末２は、予めインターネット放送の接続先ＵＲＬが各プリセット局に対応付けられたデータベースを記憶しておくことで、選局操作からインターネット放送の試聴開始までの時間を短縮することができる。
【００６６】
図８は、インターネット放送の接続先ＵＲＬを各プリセット局に対応付けたプリセット局データベースＢ１の一例について示した図である。
例えば図８に示すように、プリセット局データベースＢ１は、プリセット局データベースＢ１は、都道府県名Ｂ１１、エリア名Ｂ１２、放送局名Ｂ１３、ＵＲＬＢ１４、周波数Ｂ１５、の各項目を有する。
図８では、例えば都道府県名Ｂ１１「東京」、エリア名Ｂ１２「世田谷」、周波数Ｂ１５「８２．５ＭＨｚ」の放送局名Ｂ１３「放送局Ａ」が放送するインターネット放送の接続先ＵＲＬは、ＵＲＬＢ１４「ｈｔｔｐ：／／○○○．ｎｅ．ｊｐ」である。
【００６７】
上記したようなプリセット局データベースを利用すれば、モバイル情報端末２は、電波放送の受信を確認した直後に、当該放送の接続先ＵＲＬに接続することができる。これにより、ユーザは選局操作からインターネット放送の試聴開始までの時間を短縮することができる。
【００６８】
一方、第１及び第２の実施形態に係るモバイル情報端末２は、予めユーザ登録局の情報を記憶したデータベースを記憶しておくことができないため、接続先ＵＲＬを特定することができない。そのため、モバイル情報端末２は、ユーザがユーザ登録局を選局した場合、インターネット放送に接続しない。すなわち、モバイル情報端末２は、プリセット局が選局された場合はインターネット放送に対応し、ユーザ登録局が選局された場合はインターネット放送に対応しないこととなる。従って、プリセット局を表示するエリア（プリセット局表示エリア）とユーザ登録局を表示するエリア（ユーザ登録局表示エリア）を分けることで、ユーザに混乱を与えずに済む。
この場合、例えば図９に示すように、プリセット局表示エリア２４３ｂに表示されるプリセット局には、インターネット放送の有無を示すアイコンＩ１が表示される。
【００６９】
また、モバイル情報端末２は、ユーザ登録局が選局された場合、サーバ装置３に接続先ＵＲＬを問い合わせるようにしてもよい。なお、プリセット局データベースを利用してユーザ登録局の接続先ＵＲＬを特定する方法も考えられるが、その場合ユーザ登録局の周波数がプリセット局データベースに登録されていない周波数の場合もあるため、信頼性に乏しい。従って、サーバ装置３に問い合わせを行う方法の方が確実である。
【００７０】
また、接続先ＵＲＬをサーバ装置３に問い合わせる場合、ユーザ登録局が選局されたときとプリセット局が選局されたときとで、インターネット放送試聴開始までの時間が異なる。
【００７１】
図１０は、選局を指示されたときの一連の処理の流れについて示した図である。図１０（ａ）は、ユーザ登録局が選局されたときの処理の流れであり、図１０（ｂ）は、プリセット局が選局されたときの処理の流れである。
【００７２】
ユーザ登録局の選局を指示された場合、図１０（ａ）に示すように、モバイル情報端末２は、まず指示されたユーザ登録局を選局する（ステップＳ１１）。次に、選局されたユーザ登録局が放送する電波放送の受信確認を行う（ステップＳ１２）。電波放送の受信を確認すると、サーバ装置３に当該ユーザ登録局の周波数を通知する（ステップＳ１３）。そして、サーバ装置３からの当該通知に対する返答（インターネット放送に関する情報）を待機する（ステップＳ１４）。次に、サーバ装置３から送られてくるインターネット放送に関する情報（例えば接続先ＵＲＬ等）を受信する（ステップＳ１５）。モバイル情報端末２は、インターネット放送に関する情報を受信すると、受信した情報に含まれる接続先ＵＲＬに基づいて当該ユーザ登録局が放送するインターネット放送に接続する（ステップＳ１６）。そして、当該接続先からのコンテンツデータの配信を待機する（ステップＳ１７）。コンテンツデータの配信を受けると、当該インターネット放送の試聴を開始する（ステップＳ１８）。
【００７３】
プリセット局の選局を指示された場合、図１０（ｂ）に示すように、モバイル情報端末２は、まず指示されたユーザ登録局を選局する（ステップＳ２１）。次に、選局されたユーザ登録局が放送する電波放送の受信確認を行う（ステップＳ２２）。モバイル情報端末２は、電波放送の受信を確認すると、プリセット局データベースを参照して当該ユーザ登録局が放送するインターネット放送への接続先ＵＲＬを特定し、当該インターネット放送に接続する（ステップＳ２３）。そして、当該接続先からのコンテンツデータの配信を待機する（ステップＳ２４）。コンテンツデータの配信を受けると、当該インターネット放送の試聴を開始する（ステップＳ２５）。
【００７４】
このように、第１及び第２の実施形態に係るモバイル情報端末２は、プリセット局の選局を指示された場合、電波放送の受信を確認した直後に、当該放送の接続先ＵＲＬに接続することができるのでユーザ登録局が選局されたときとプリセット局が選局されたときとで、インターネット放送試聴開始までの時間が異なる。
従って、プリセット局表示エリアとユーザ登録局表示エリアを分けた方が、ユーザに混乱を与えずに済む。
この場合、例えば図１１に示すように、インターネット放送を行っているプリセット局には、インターネット放送への接続を高速化していることを示すアイコンＩ２が表示される。
【００７５】
また、第１及び第２の実施形態に係るモバイル情報端末２がプリセット局表示エリアとユーザ登録局表示エリアを分けて表示させるようにしていることを利用して、以下のような表示を行うことが可能である。
例えばプリセット局データベースに予めプリセット局ごとの詳細情報を記憶させておき、図１２に示すように、詳細情報表示アイコンＩ３を表示させるようにしてもよい。
また、例えば各ユーザ登録局に登録が行われた場所を対応付けて記憶させておき、図１３に示すように、ユーザ登録局ごとに登録場所Ｉ４を表示させるようにしてもよい。
【００７６】
また、上記第１及び第２の実施形態では、例えば図７、８に示したように、都道府県と市区町村ごとのエリアを放送地域と定義して放送局との対応付けを行ったが、放送地域は上記定義に限らず、電波が受信できるエリア単位や放送局が認可を受けている放送対象地域単位など受信可能な場所を区分できるものであれば、都道府県のみで区分してもよいし、都道府県に関係ないエリアで区分してもよい。
【００７７】
その他、コンテンツ配信システム１００を構成する各装置（モバイル情報端末２及びサーバ装置３）の細部構成及び細部動作に関しても、本発明の趣旨を逸脱することのない範囲で適宜変更可能である。
【符号の説明】
【００７８】
１００  コンテンツ配信システム
１  放送局
２  モバイル情報端末
２１  ＣＰＵ
２２  ＲＡＭ
２３  記憶部
２４  表示部
２５  操作部
２６  ＩＰ通信部
２７  アンテナ
２８  チューナ
２９  音声出力部
３０  現在位置取得部
３  サーバ装置
３１  制御部
３１１  ＣＰＵ
３１２  ＲＯＭ
３１３  ＲＡＭ
３２  記憶部
３３  ＩＰ通信部
【図１】
0005515691.tif 000002
【図２】
0005515691.tif 000003
【図３】
0005515691.tif 000004
【図４】
0005515691.tif 000005
【図５】
0005515691.tif 000006
【図６】
0005515691.tif 000007
【図７】
0005515691.tif 000008
【図８】
0005515691.tif 000009
【図９】
0005515691.tif 000010
【図１０】
0005515691.tif 000011
【図１１】
0005515691.tif 000012
【図１２】
0005515691.tif 000013
【図１３】
0005515691.tif 000014
【図１４】
0005515691.tif 000015